(57)【要約】【課題】放射線エネルギー変換用フィルタを挟んで重ねられた２枚の蓄積性蛍光体シートのそれぞれの取出し、収容が容易なカセッテ。【解決手段】カセッテ１０の筐体１２には、蓄積性蛍光体シート１４Ａ、１４Ｂが変換用フィルタ１６を挟んで重ねられている。この筐体には、蓄積性蛍光体シート１４Ａ側の長手方向の一端部に蓋部３０が形成され、この蓋部３０を開くことにより蓄積性蛍光体シート１４Ａの取出しが可能となる。また、筐体１２には、長手方向の他端側に蓋部３２が形成されている。この蓋部３２には、連結部材４２を介して変換用フィルタの端部が連結されており、蓋部３２を開くことにより、変換用フィルタが持ち上げられ、蓄積性蛍光体シート１４Ｂの端部が開放される。これにより、カセッテからの蓄積性蛍光体シート１４Ｂの取出しが可能となっている。【選択図】図２
2010054705.tif 000002
【特許請求の範囲】
【請求項１】
シート状の放射線エネルギー変換用フィルタを挟んで第１の蓄積性蛍光体シートと第２の蓄積性蛍光体シートとが重ねられて収容される矩形箱体形状の筐体と、
前記筐体の一辺側を開閉可能に形成され、開放方向に回動されることにより前記第１の蓄積性蛍光体シートの端部を開放可能とする第１の蓋部と、
前記筐体の前記第１の蓋部と同一面で第１の蓋部と異なる辺側を開閉可能に形成されて、筐体の内方側に前記放射線エネルギー変換用フィルタの端部が連結され、開放方向に回動されることにより放射線エネルギー変換用フィルタを前記愛２の蓄積性蛍光体シートから離間させて第２の蓄積性蛍光体シートの端部を開放可能とされた第２の蓋部と、
を含むカセッテ。
【請求項２】
前記第１の蓋部が設けられている辺に対向する辺側に前記第２の蓋部が形成される請求項１に記載のカセッテ。
【請求項３】
前記筐体内で前記第２の蓄積性蛍光体シート及び前記放射線エネルギー変換用フィルタが前記第１の蓄積性蛍光体シートより前記第２の蓋部側へ突出されている請求項１又は請求項２に記載のカセッテ。
【請求項４】
一辺の長さが前記第１の蓄積性蛍光体シートより長いサイズの前記第２の蓄積性蛍光体シート及び前記放射性エネルギー変換用フィルムを用い、前記第２の蓋部側で前記第１の蓄積性蛍光体シートから前記放射線エネルギー変換用フィルタ及び前記第２の蓄積性蛍光体シートが突出されて前記筐体内に収容される請求項１から請求項３の何れか１項に記載のカセッテ。
【発明の詳細な説明】
【技術分野】
【０００１】
本発明は、蓄積性蛍光体シートを収容するカセットに関する。詳細には、２枚の蓄積性蛍光体シートを重ねて収容するカセッテに関する。
【背景技術】
【０００２】
蓄積性蛍光体からなる層を有するシート（以下、蓄積性蛍光体シートとする）を用いて人体などの放射線画像情報を記録することができる。放射線画像情報が記録された蓄積性蛍光体シートは、レーザ光などの励起光を走査しながら照射することにより輝尽発光光が生じる。この輝尽発光光を光学的に読み出して画像信号を得ることにより、この画像信号を用いて、写真感光材料などの記録材料、ＣＲＴなどの表示手段上で可視画像として再現することができる。
【０００３】
この蓄積性蛍光体シートは、放射線画像情報を消去することにより、新たな放射線画像情報を記録することができる。また、蓄積性蛍光体シートは、遮光された状態で保持される必要があり、また、汚れの付着を防止する必要がある。
【０００４】
ここから、蓄積性蛍光体シートを収容するカセッテ、カセッテからの蓄積性蛍光体シートの取り出しに関する各種の提案がなされている（例えば、特許文献１、特許文献２、特許文献３参照。）。
【０００５】
ところで、例えば、２枚の蓄積性蛍光体シートを重ねた状態で、この蓄積性蛍光体シートの間に、放射線エネルギー変換用フィルタを介在させ、２枚の蓄積性蛍光体シートに、同時に放射線画像情報を記録する方法がある（エネルギーサブストラクション）。この時には、それぞれの蓄積性蛍光体シートから放射線画像情報に基づいた電気信号が取得されるようになっている。
【０００６】
カセッテから蓄積性蛍光体シートを取り出すときには、暗室環境で行う必要がある。このために、２枚の蓄積性蛍光体シートと放射線エネルギー変換用フィルタとを重ねてカセッテに収容した場合、カセッテからの蓄積性蛍光体シートの取り出し時、蓄積性蛍光体シートのカセッテへの収容時に、蓄積性蛍光体シートや放射線エネルギー変換用フィルムが損傷してすることが想定され、これを防止するために、カセッテから蓄積性蛍光体シートの取り出し、収容作業が煩雑となる。
【特許文献１】特許第３９４６８９５号公報
【特許文献２】特開２０００−２６７２１０号公報
【特許文献３】特公平８−３３５９６号公報
【発明の開示】
【発明が解決しようとする課題】
【０００７】
本発明は上記事実に鑑みてなされたものであり、２枚の蓄積性蛍光体シートの間に放射線エネルギー変換用フィルタを重ねて用いるときに、蓄積性蛍光体シートの処理が容易となるカセッテを提供することを目的とする。
【課題を解決するための手段】
【０００８】
上記目的を達成するために本発明は、シート状の放射線エネルギー変換用フィルタを挟んで第１の蓄積性蛍光体シートと第２の蓄積性蛍光体シートとが重ねられて収容される矩形箱体形状の筐体と、前記筐体の一辺側を開閉可能に形成され、開放方向に回動されることにより前記第１の蓄積性蛍光体シートの端部を開放可能とする第１の蓋部と、前記筐体の前記第１の蓋部と同一面で第１の蓋部と異なる辺側を開閉可能に形成されて、筐体の内方側に前記放射線エネルギー変換用フィルタの端部が連結され、開放方向に回動されることにより放射線エネルギー変換用フィルタを前記愛２の蓄積性蛍光体シートから離間させて第２の蓄積性蛍光体シートの端部を開放可能とされた第２の蓋部と、を含む。
【０００９】
この発明によれば、筐体の同一面側で異なる辺に第１の蓋部と第２の蓋部とが形成されて、第１の蓋部を開くことにより第１の蓄積性蛍光体シートの端部が開放される。
【００１０】
また、第２の蓋部には、放射線エネルギー変換用フィルタの端部が連結されており、第２の蓋部を開くことにより、放射線エネルギー変換用フィルタの端部が持ち上げられて第２の蓄積性蛍光体シートから離される。
【００１１】
これにより、第２の蓋部が開かれると、第２の蓋部側から見て放射線エネルギー変換用フィルタの下側となっている第２の蓄積性蛍光体シートが開放される。
【００１２】
これにより、第１の蓋部側から第１の蓄積性蛍光体シートが引き出し可能となり、第２の蓋部側から第２の蓄積性蛍光体シートが引き出し可能となるので、第１及び第２の蓄積性蛍光体シートの引き出し及び収容が容易となる。
【００１３】
請求項２に係る発明は、前記第１の蓋部が設けられている辺に対向する辺側に前記第２の蓋部が形成される。
【００１４】
この発明によれば、矩形箱体形状の筐体の一辺とこの一辺に対向する辺に、第１の蓋部と第２の蓋部を形成されているので、同じ開閉機構及び引き出し機構をもちいて、第１及び第２の蓄積性蛍光体シートの取り出し及び収容が可能となる。
【００１５】
請求項３に係る発明は、前記筐体内で前記第２の蓄積性蛍光体シート及び前記放射線エネルギー変換用フィルタが前記第１の蓄積性蛍光体シートより前記第２の蓋部側へ突出されている。
【００１６】
また、請求項４に係る発明は、一辺の長さが前記第１の蓄積性蛍光体シートより長いサイズの前記第２の蓄積性蛍光体シート及び前記放射性エネルギー変換用フィルムを用い、前記第２の蓋部側で前記第１の蓄積性蛍光体シートから前記放射線エネルギー変換用フィルタ及び前記第２の蓄積性蛍光体シートが突出されて前記筐体内に収容される。
【００１７】
この発明によれば、第２の蓋部側には、第１の蓄積性蛍光体シートが無いので、放射線エネルギー変換用フィルタを持ち上げるだけで、第２の蓄積性蛍光体シートの端部を開放することができる。
【発明の効果】
【００１８】
以上説明したように本発明によれば、第１の蓋部を開くことにより、第１の蓄積性蛍光体シートの引き出しが可能となり、第２の蓋部を開くことにより第２の蓄積性蛍光体シートの引き出しが可能となるので、第１及び第２の蓄積性蛍光体シートの引き出し及び収容を円滑にかつ確実に行うことが可能となるという優れた効果が得られる。
【００１９】
また、矩形箱体形状の筐体で、第１の蓋部と第２の蓋部を互いに対向する位置に設けているので、向きを変えるだけで一つの取出し機構、収容機構を用いて、第１及び第２の蓄積性蛍光体シートのそれぞれの引き出し及び収容が可能となる。
【発明を実施するための最良の形態】
【００２０】
以下に図面を参照しながら、本発明の実施の形態を説明する。図１及び図２には、本実施の形態に係るカセッテ１０が示されている。このカセッテ１０は、エネルギーサブストラクション用となっており、矩形箱体形状の筐体１２を備えている。このカセッテ１２の筐体１２内には、蓄積性蛍光体シート１４と放射線エネルギー変換用フィルタ（以下、変換用フィルタ１６とする）が収容される。
【００２１】
カセッテ１０では、蓄積性蛍光体シート１４として、第１の蓄積性蛍光体シートとされる蓄積性蛍光体シート１４Ａ及び、第２の蓄積性蛍光体シートとされる蓄積性蛍光体シート１４Ｂとの２枚が用いられ、筐体１２内には、この蓄積性蛍光体シート１４Ａ、１４Ｂが重ねられて収容される（以下、総称するときは、蓄積性蛍光体シート１４とする）。また、変換用フィルタ１６は、蓄積性蛍光体シート１４Ａ、１４Ｂの間に、互いに密接するように重ねられて収容されている。
【００２２】
カセッテ１０の筐体１２としては、任意のサイズとすることができるが、本実施の形態では、一例として、半切サイズ（１４インチ×１７インチ）の蓄積性蛍光体シートを収容可能な長尺薄箱形状としている。なお、以下では、筐体１２の長手方向を矢印Ｌ方向、長手方向の直交する幅方向を矢印Ｗ方向として説明する。
【００２３】
蓄積性蛍光体シート１４には、蓄積性蛍光体を用いた層（蓄積性蛍光体層、図示省略）が設けられ、被写体を透過した放射線又は被写体から発せられた放射線を蓄積性蛍光体層の蓄積性蛍光体に吸収させることにより、放射線画像（放射線画像情報）が記録される。
【００２４】
また、蓄積性蛍光体シート１４は、放射線画像情報が記録されている状態で、レーザ光などの電磁波を励起光として走査しながら照射するなどして、蓄積性蛍光体を時系列的に励起することにより、蓄積性蛍光体中に蓄積されている放射線エネルギーを蛍光（輝尽発光）として放出する。この輝尽発光光を光電的に読み取ることにより電気信号を取得し、この電気信号に所定の画像処置を施すことにより、放射線画像情報を可視化した画像又は画像データを得ることができる。
【００２５】
変換用フィルタ１６は、銅、タングステン、モリブデンなどの重金属を用いて薄板状（例えば、厚さ０．８ｍｍ〜２．０ｍｍ程度）に形成されており、所定波長の電磁波（放射線）を吸収する。
【００２６】
カセッテ１０の筐体１２は、遮光性を有するが放射線の透過が可能となっている。このカセッテ１０では、例えば、筐体１２の蓄積性蛍光体シート１４Ｂ側から放射線が照射されるように用いられる。以下、筐体１２の蓄積性蛍光体シート１４Ｂ側の面と照射面１８とする。
【００２７】
これにより、カセッテ１０では、被写体を透過した放射線が筐体１２の照射面１８から照射されると、この放射線エネルギーによって、２枚の蓄積性蛍光体シート１４Ａ、１４Ｂに放射線画像情報が記録される。このとき、変換用フィルタ１６が設けられていることにより、蓄積性蛍光体シート１４Ａ、１４Ｂには、異なる放射線情報画像が記録される。例えば、蓄積性蛍光体シート１４Ｂには、高エネルギー成分の放射線画像情報が形成され、蓄積性蛍光体シート１４Ａには、低エネルギー成分の放射線画像情報が記録される。
【００２８】
カセッテ１０では、蓄積性蛍光体シート１４に放射線画像情報が形成されると、たとえば、画像情報読取り再生装置に装着される。図３には、この画像情報読取り再生装置２０の要部の概略を示している。画像情報読取り再生装置２０では、ケーシング２２にカセッテ装着口２４が形成されており、カセッテ１０は、このカセッテ装着口２４に挿入されて装着される。
【００２９】
画像情報読取り再生装置２０は、カセット装着口２４に装着されたカセッテ１０内の蓄積性蛍光体シート１４の端部に対向される吸盤２６を備えている。この吸盤２６は、カセッテ１０内の蓄積性蛍光体シート１４の端部を吸着し、吸着した蓄積性蛍光体シート１４をカセッテ１０の筐体１２内から引き出しながら、搬送ローラ対２８へ送り込む。
【００３０】
また、画像情報読取り再生装置２０は、放射線画像情報の読取りが終了し、放射線画像情報を消去した蓄積性蛍光体シート１４を搬送ローラ対から吸盤２６へ向けて送りだす。吸盤２６は、この蓄積性蛍光体シート１４の端部を吸着保持して、カセット１０の筐体１２内へ挿入する。
【００３１】
これにより、カセッテ１０から取り出された蓄積性蛍光体シート１４が、カセッテ１０内に収納される。なお、このような画像情報読取り再生装置２０は、公知の構成を適用でき、ここでは詳細な説明を省略する。
【００３２】
ところで、図１及び図２に示されるように、カセッテ１０の筐体１２には、照射面１８と反対側に、第１の蓋部となる蓋部３０と、第２の蓋部となる蓋部３２が形成されている。
【００３３】
図２に示されるように、カセッテ１０では、筐体１２の長手方向（矢印Ｌ方向）に沿った長さが、蓄積性蛍光体シート１４Ａより蓄積性蛍光体シート１４Ｂの長さが長くなっている。例えば、蓄積性蛍光体シート１４Ｂとして半切サイズを用いて、蓄積性蛍光体シート１４Ａとして、半切サイズと幅寸法は同じだが長さ寸法の異なる大角サイズを用いている。
【００３４】
蓄積性蛍光体シート１４Ａ、１４Ｂ及び変換用フィルタ１６は、筐体１２の長手方向の一端側である蓋部３０側が揃えられて位置決めされている。また、変換用フィルタ１６は、蓄積性蛍光体シート１４Ａを覆うサイズとなっている。これにより、筐体１２の長手方向の他端側である蓋部３２側では、蓄積性蛍光体シート１４Ｂの端部が、蓄積性蛍光体シート１４から突出されている。
【００３５】
図１及び図２に示されるように、カセッテ１０の筐体１２は、照射面１８側の板部材３４と、この板部材３４に対向される板部材３６とを備え、板部材３４と板部材３６との間に、蓄積性蛍光体シート１４及び変換用フィルタ１６とが収容される。板部材３６は、板部材３４よりも短くなっており、この板部材３６の両側に蓋部３０、３２が形成されている。
【００３６】
図１に示されるように、板部材３４には、幅方向の両端部に縦枠３８が立設され、筐体１２は、この縦枠３８によって板部材３４，３６が連結された形状となっている。また、筐体１２では、縦枠３８の長手方向の両側に横枠４０が配置される。
【００３７】
蓋部３０、３２は、横枠４０が一体とされた略Ｌ字形状に形成されている。蓋部３０、３２のそれぞれは、板部材３６側の端部を軸に回動されることにより筐体１２の長手方向の端部を開放する。また、蓋部３０、３２のそれぞれは、横枠４０を板部材３４に当接させた閉止状態では、筐体１２の内部が遮光される。
【００３８】
これにより、蓋部３０を開いたときには、蓄積性蛍光体シート１４Ａの長手方向の端部が露出され、カセッテ１０からの蓄積性蛍光体シート１４Ａの取り出し、及び、カセッテ１０への蓄積性蛍光体シート１４Ａの収容が可能となる。
【００３９】
一方、図２に示されるように、変換用フィルタ１６には、蓋部３２側の端部が、蓋部３２に連結されている。
【００４０】
変換用フィルタ１６の端部と蓋部３２との連結は、各種の構成を適用することができるが、ここでは、一例として、伸縮性を有する連結部材４２を用いて、変換用フィルタ１６と蓋部３２とを連結している。
【００４１】
この連結部材４２は、例えば、シート状に形成されたものであってもよく、また、帯状に形成されて、筐体１２の幅方向に沿った所定の間隔で配置されたものであっても良い。また、連結部材４２は、蓋部３２側が、横枠４０の根元側に連結されている。
【００４２】
これにより、蓋部３２を開く方向へ回動することにより、連結部材４２が変換用フィルタ１６の端部を引き上げて、変換用フィルタ１６に覆われていた蓄積性蛍光体シート１４Ｂの端部が露出される。
【００４３】
また、蓋部３２を閉じたときには、連結部材４２が収縮して、蓄積性蛍光体シート１４Ｂの端部が、変換用フィルタ１６に覆われる。
【００４４】
なお、カセッテ１０には、例えば筐体１２の縦枠３８に、ギアなどを用いた蓋部３０、３２の回動機構が設けられ、カセッテ１０を、蓋部３０側又は蓋部３２側から画像情報読取り再生装置２０のカセッテ装着口２４へ挿入することにより、画像情報読取り再生装置２０が、この回動機構に係合して蓋部３０、３２を開放するなど、公知の一般的構成を適用することができる。
【００４５】
このように構成されているカセッテ１０では、被写体を透過した放射線又は被写体から放出される放射線が、照射面１８側から照射されることにより、蓄積性蛍光体シート１４Ｂにこの放射線画像情報が記録される。また、蓄積性蛍光体シート１４Ｂ及び変換用フィルタ１６を透過した放射線によって、蓄積性蛍光体シート１４Ａに放射線画像情報が記録される。
【００４６】
蓄積性蛍光体シート１４Ａ、１４Ｂに記録された放射線画像情報を読み取るときには、例えば、画像情報読取り再生装置２０へカセッテ１０を装着する。
【００４７】
ここで、蓄積性蛍光体シート１４Ａに記録された放射線画像情報を読み取るときには、カセッテ１０の蓋部３０側を画像情報読取り再生装置２０のカセッテ装着口２４に挿入する。
【００４８】
カセッテ１０は、蓋部３０側から挿入されることにより、図４（Ａ）に示されるように、蓄積性蛍光体シート１４Ａ、１４Ｂ及び変換用フィルタ１６の中で最も蓋部３０側となっている蓄積性蛍光体シート１４Ａの端部が開放される。
【００４９】
このようにして蓋部３０を開いて蓄積性蛍光体シート１４Ａの端部を開放することにより、図４（Ｂ）に示されるように、この蓄積性蛍光体シート１４Ａをカセッテ１０から取り出すことができる。また、カセッテ１０から取り出した蓄積性蛍光体シート１４Ａを、変換用フィルタ１６上に挿入して、カセッテ１０内に収容することができる。
【００５０】
これに対して、蓄積性蛍光体シート１４Ｂに記録された放射線画像情報を読み取るときには、カセッテ１０の蓋部３２側を画像情報読取り再生装置２０のカセッテ挿入口２４に挿入する。
【００５１】
カセッテ１０は、蓋部３２側から挿入されることにより、図５（Ａ）に示されるように、蓋部３２が開かれる。
【００５２】
ここで、カセッテ１０では、蓄積性蛍光体シート１４Ａが短く、蓋部３２側に達していない。また、カセッテ１０では、変換用フィルタ１６の端部が、連結部材４２を介して蓋部３２に連結されている。このために、カセッテ１０では、蓋部３２が開かれることにより、変換用フィルタ１６の端部が持ち上げられて蓄積性蛍光体シート１４Ｂの端部から離れる。
【００５３】
これにより、蓋部３２を閉じているときに、蓋部３２側から見ると変換用フィルタ１６に覆われていた蓄積性蛍光体シート１４Ｂの端部が開放される。
【００５４】
このようにして蓋部３２を開いて蓄積性蛍光体シート１４Ｂの端部を開放することにより、図５（Ｂ）に示されるように、この蓄積性蛍光体シート１４Ｂをカセッテ１０から取り出すことができる。また、カセッテ１０から取り出した蓄積性蛍光体シート１４Ｂを、変換用フィルタ１６上に挿入して、カセッテ１０内に収容することができる。
【００５５】
このように、カセッテ１０では、変換用フィルタ１６を挟んで設けられた蓄積性蛍光体シート１４Ａ、１４Ｂの取り出し及び収容を円滑に行うことができる。
【００５６】
また、カセッテ１０では、長手方向に沿った両端部に蓋部３０、３２を設けているので、カセッテ１０を装着する向きを変えるだけで、同じカセッテ装着口２４へ装着して、蓄積性蛍光体シート１４Ａ、１４Ｂのそれぞれを取り出すことができる。
【００５７】
なお、カセッテ１０では、長手方向に沿った一端側に蓋部３０を設け、この蓋部３０と対向する他端側に蓋部３２を設けたが、第１の蓋部と第２の蓋部の位置はこれに限るものではない。
【００５８】
例えば、図６に示すカセッテ５０では、矩形薄箱状の筐体５２の一辺に第１の蓋部とする蓋部５４を形成し、この辺に隣接する一方の辺に、第２の蓋部とする蓋部５６を形成している。
【００５９】
このように構成したカセッテ５０においても、放射線エネルギー変換用フィルタ５８を挟んで配置している、第１の蓄積性蛍光体シートとする蓄積性蛍光体シート６０Ａと第２の蓄積性蛍光体シートとする蓄積性蛍光体シート６０Ｂのそれぞれの、円滑な取り出し及び収容が可能となる。
【００６０】
また、本実施の形態では、蓋部３０、３２のそれぞれを、筐体１２の横枠４０を含めて形成しているが、これに限らず、蓄積性蛍光体シート１４Ａ、１４Ｂを露出可能な構成であれば任意の構成を適用することができる。
【００６１】
一方、本実施の形態では、蓄積性蛍光体シート１４Ａを蓄積性蛍光体シート１４Ｂよりも短いサイズとしたが、これに限らず、蓄積性蛍光体シート１４Ａと蓄積性蛍光体シート１４Ｂを同じ長さ（サイズ）にしても良い。この時には、蓄積性蛍光体シート１４Ａが蓋部３２と対向する位置に達しないようにずらして位置決めされてカセッテ１０内に収容されるようにしてもよく、また、蓋部３２を開いたときに、蓄積性蛍光体シート１４Ａの端部が、変換用フィルタ１６と共に持ちあがって、蓄積性蛍光体シート１４Ｂの端部を開放する構成であっても良い。
【００６２】
また、蓄積性蛍光体シート１４Ａを蓄積性蛍光体シート１４Ｂよりも短くしている場合、放射線エネルギー変換用フィルタも蓄積性蛍光体シート１４Ｂよりも短くした構成であっても良い。
【００６３】
すなわち、図７に示されるカセッテ６２では、蓄積性蛍光体シート１４Ａと蓄積性蛍光体シート１４Ｂとに挟まれて配置される変換用フィルタ１６Ａを、蓄積性蛍光体シート１４Ａよりは長いが、蓄積性蛍光体シート１４Ｂよりも短くして、筐体１２の横枠３８に固定している。これにより、蓋部３２が対向する位置では、蓄積性蛍光体シート１４Ｂが放射線エネルギー変化用フィルタ１６Ａから突出されているようにしている。
【００６４】
このときに、筐体１２には、例えば、縦枠３８の内面にストッパ６４を突出させて形成しておき、蓋部３０側から蓄積性蛍光体シート１４Ａが挿入されたときに、この蓄積性蛍光体シート１４Ａの端部がストッパ６４に当接されるようにする。これにより、蓄積性蛍光体シート１４Ａが蓋部３２に対向する位置に突出してしまうのを防止されて位置決めされる。
【００６５】
このように構成されているカセッテ６２では、蓋部３０を開くことにより、変換用フィルタ１６Ａ上から蓄積性蛍光体シート１４Ａを引き出すことができる。また、カセッテ６２では、変換用フィルタ１６Ａ上から引き出した蓄積性蛍光体シート１４Ａを、変換用フィルタ１６Ａ上に挿入して収容することができる。
【００６６】
また、蓋部３２が開かれたときには、この蓋部３２に対向する位置に、蓄積性蛍光体シート１４Ａ及び変換用フィルタ１６Ａが突出していないので、蓄積性蛍光体シート１４Ｂの端部が開放される。
【００６７】
これにより、カセッテ６２は、変換用フィルタ１６Ａに沿って蓄積性蛍光体シート１４Ｂを引き出すことができる。また、カセッテ６２では、蓄積性蛍光体シート１４Ｂを、変換用フィルタ１６Ａに沿って挿入して収容することができる。
【００６８】
さらに、本実施の形態では、連結部材４２を介して、変換用フィルタ１６の端部を、蓋部３２に連結したが、蓋部３２を開いたときに変換用フィルタ１６の端部が蓄積性蛍光体シート１４Ｂから離れて、蓄積性蛍光体シート１４Ｂの端部を開放する構成であれば任意の構成を適用することができる。
【００６９】
例えば、変換用フィルタ１６を、蓄積性蛍光体シート１４Ｂよりも長くし、変換用フィルタ１６の端部を筐体１２内で折り返して蓋部３２に連結するようにしてもよい。
【００７０】
これにより、蓋部３２を閉じているときには、筐体１２内で折り返されえている変換用フィルタ１６によって蓄積性蛍光体シート１４Ｂが覆われるが、蓋部３２を開いたときに、変換用フィルタ１６が筐体１２内から引き出されて、蓄積性蛍光体シート１４Ｂの端部を開放することができる。
【００７１】
なお、以上説明した本実施の形態は、本発明の構成を限定するものではなく、本発明は、第１及び第２の蓄積性蛍光体シートと放射線エネルギー変換用フィルタを重ねて収容する任意の形状のカセッテに適用することができる。
【図面の簡単な説明】
【００７２】
【図１】本実施の形態に係るカセッテの概略斜視図である。
【図２】カセッテを長手方向に沿って切断した要部の概略断面図である。
【図３】画像情報読取り再生装置へのカセッテの装着を示す概略図である。
【図４】（Ａ）及び（Ｂ）はカセッテの要部の概略断面図であり、（Ａ）は蓋部３０を開いた状態を示し、（Ｂ）は開いた蓋部３０からの蓄積性蛍光体シートの引き出しを示している。
【図５】（Ａ）及び（Ｂ）はカセッテの要部の概略断面図であり、（Ａ）は蓋部３２を開いた状態を示し、（Ｂ）は開いた蓋部３２からの蓄積性蛍光体シートの引き出しを示している。
【図６】蓋部の位置を変えたカセッテの一例を示す要部の概略斜視図である。
【図７】蓄積性蛍光体シートのサイズを変えたカセッテの一例を示す要部の概略断面図である。
【符号の説明】
【００７３】
１０    カセッテ
１２    筐体
１４    蓄積性蛍光体シート
１４Ａ    蓄積性蛍光体シート（第１の蓄積性蛍光体シート）
１４Ｂ    蓄積性蛍光体シート（第２の蓄積性蛍光体シート）
１６    変換用フィルタ（放射線エネルギー変換用フィルタ）
２０    画像情報読取り再生装置
２４    カセッテ装着口
３０    蓋部（第１の蓋部）
３２    蓋部（第２の蓋部）
４２    連結部材
【図１】
2010054705.tif 000003
【図２】
2010054705.tif 000004
【図３】
2010054705.tif 000005
【図４】
2010054705.tif 000006
【図５】
2010054705.tif 000007
【図６】
2010054705.tif 000008
【図７】
2010054705.tif 000009